(57)【要約】  【課題】  従来の構成では、レンズキャップホルダーが必要であり、しかも、グリップベルトとキャップストリングをグリップホルダーに通さなければならない。固定はキャップストリングとレンズキャップホルダーの摩擦で固定している為、使用回数が増えると、固定が不十分になり、レンズキャップが抜け落ちる。  【解決手段】本発明のレンズキャップ収納装置によれば、部品を追加しなくても、レンズキャップストリングを引張ることだけで、レンズキャップを収納保持でき、撮影時にレンズキャップが垂れ下がることがない。  【選択図】  図２
2005156585.tif 000002
【特許請求の範囲】
【請求項１】
撮像装置を把持する際撮影者の手の甲に接するソフトカバーと、前記ソフトカバーと撮像装置のグリップ部との隙間を調節可能に前記ソフトカバーに密接されたグリップベルトと、非撮影時にレンズを保護するレンズキャップと、前記レンズキャップを撮像装置に繋げるキャップストリングで構成され、
キャップストリングを引くことによりレンズキャップをソフトカバーとグリップベルトの間に収納保持可能としたレンズキャップ収納装置。
【請求項２】
前記ソフトカバーとグリップベルト間のレンズキャップが入る入り口を漏斗状とし、その先端寸法はレンズキャップのキャップストリング取付け部分の幅寸法より広いことを特徴とする請求項１記載のレンズキャップ収納装置。
【請求項３】
前記レンズキャップの収納保持状態時に、前記キャップストリングを第１の力で引張ると、キャップストリングの凸部がグリップベルトを通過してストッパー部がグリップベルトで挿通を阻止された状態で保持されて前記レンズキャップの収納保持状態が解消され、次に前記キャップストリングを前記第１の力より大なる第２の力で引張るとキャップストリングのストッパーはグリップベルトを完全に挿通することを特徴とする請求項１記載のレンズキャップ収納装置。
【請求項４】
前記キャップストリングのストッパーはグリップベルトの幅寸法より長い寸法で硬くしておき、ソフトカバーとグリップベルトの間に挿入するのを容易にしたことを特徴とする請求項１記載のレンズキャップ収納装置。
【発明の詳細な説明】
【技術分野】
【０００１】
本発明は、撮影装置において、レンズキャップを収納保持するためのレンズキャップ収納装置に関するものである。
【背景技術】
【０００２】
従来のレンズキャップ収納は、例えば、特許文献１に記載されているようなものがあった。特許文献１に記載された第2図において、キャップストリング１４の末端部１４ａを引張ることによってレンズキャップ１０がレンズキャップホルダーの角孔に収まり収納状態に保持できる。
【特許文献１】特開２０００−１９４０３５号公報（第2図）
【発明の開示】
【発明が解決しようとする課題】
【０００３】
しかしながら、前記従来の構成では、レンズキャップホルダーが必要であり、キャップストリングの固定は、キャップストリングとレンズキャップホルダー間の摩擦で固定している為、使用回数が増えると摩擦抵抗が減少し、固定が不十分になって、レンズキャップが抜け落ちるという課題を有していた。
【０００４】
本発明は前記従来の課題を解決するもので、部品を追加することなくレンズキャップストリングを引張るだけで、レンズキャップを収納保持できる装置を提供することを目的とする。
【課題を解決するための手段】
【０００５】
前記課題を解決するために、本発明のレンズキャップ収納装置は、撮像装置のグリップ部のソフトカバーとグリップベルトの間に、レンズキャップストリングを挿入し、レンズキャップストリングを引張ることにより、レンズキャップを収納保持することを特徴としたものである。
【発明の効果】
【０００６】
本発明のレンズキャップ収納装置によれば、レンズキャップホルダーを廃止できるので、部品コスト及び製造コストが削減できる。また、固定は摩擦ではなく、レンズキャップの凸部がグリップベルトに引っ掛かることでレンズキャップを収納状態に保持するので、使用回数が増えても、初期と同じ固定力がある。
【発明を実施するための最良の形態】
【０００７】
以下に、本発明のレンズキャップ収納装置の実施形態を図面とともに詳細に説明する。
【０００８】
（実施の形態１）  
図１は、撮像装置の一例としてハンディタイプのVTR一体型ビデオカメラ装置を示している。図２は本発明を用いた実施例の収納前の図である。図３は本発明を用いた実施例の収納状態図である。
【０００９】
図１において、１は撮像装置本体、２はレンズ部、３はビューファインダー、４はグリップベルト、５はソフトカバー、６はレンズキャップ、７はキャップストリング、９はキャップストリングのストッパーである。撮影時には、このソフトカバー５の内側に手を通した状態で撮像装置本体１を把持し、レンズ部２を被写体に向けてビューファインダー３を後方から覗きながら撮影を行うものである。ソフトカバー５はグリップベルト４に直接手の甲が当たらないように保護するものである。
【００１０】
この撮影装置本体１にはレンズキャップ６が付属しており、撮影時以外はこのレンズキャップ６をレンズ部２に被せてレンズを保護している。レンズキャップ６はABS等の弾力性があるプラスチックによりなり、その側面内側にはリブ状の突起が数箇所設けられていて、このリブの内径はレンズ部２の先端外形より若干小さく設定されている。レンズ部２は先太りの円柱形状をしている。レンズ部２の外形にレンズキャップ６を被せた時、レンズキャップ６の側面内側のリブは潰れてレンズ部２の外形に嵌合している。レンズキャップ６とレンズ部２の外径との嵌合力はこのリブ数箇所の内径で調節する。レンズキャップ６はキャップストリング７によって撮像装置本体１に繋げられ、これによってレンズキャップ６の紛失防止を図っている。
【００１１】
このレンズキャップ６はレンズ部２より取り外して垂れ下がった状態で撮影を行なうと、レンズキャップ６が揺れて撮影の邪魔になったり、レンズキャップ６の当たる音が異音として記録されるので、これを防止する為に、本発明によるレンズキャップ収納装置でレンズキャップ６を収納保持できるようにする。
【００１２】
本発明のレンズキャップ収納装置を図２及び図３において詳しく説明する。ソフトカバー５はグリップベルト４に図２に示すようにD及びEの２箇所で可能な限りグリップベルト４の幅方向の上下端部に縫い付けている。この場合ソフトカバー５の外側にグリップベルト４を縫い着ける。こうすることで、グリップベルト４には直接手の甲は当たらない。
【００１３】
グリップベルト４の幅寸法（11mm）はソフトカバー５の幅寸法（33mm）の略3分の１である。又、グリップベルト４はソフトカバー５の略中央に縫い着ける。このことで、図２のF寸法は11mm近傍になり、レンズキャップ６のキャップストリング７取り付け部の縦寸法G（5mm）の略2倍になっている。
【００１４】
前記D,E間のA寸法（４ｍｍ）はキャップストリング７（幅1．8mm、厚み１ｍｍ）がグリップベルト４に概直角にスムーズに移動できる寸法である。キャップストリング７を弱い力（１N）で引張ると、キャップストリング７の凸部８（幅3．5mm、厚み２ｍｍ）はグリップベルト４に引っ掛かり、キャップストリング７を強い力（２N）で上方向に引張ると、キャップストリング７の凸部８はグリップベルト４とソフトカバー５の間を通過し、キャップストリング７のストッパー９がグリップベルト４にひっかかる。    
【００１５】
さらにもっと強い力で引張るとキャップストリング７のストッパー９はグリップベルト４とソフトカバー５の間を通り抜ける。また、グリップベルト４にキャップストリング７が入る入口は漏斗状になっていて、その入口の寸法B（10mm）はレンズキャップ６のキャップストリング７取付け部の幅寸法C（７ｍｍ）より大きくする。
【００１６】
このような構造を有することにより、図２に示すキャップストリング７のストッパー９を下方に引張ることによって、レンズストリング７の凸部８がグリップベルト４のA部を通過し、図３に示す収納状態になり固定保持できる。この状態は、背もたれがある袋に腰まで入っている状態で、下方向へは、レンズキャップ６のキャップ取付け部がA部で止まって下がらなくて、上方向へは、キャップストリング７の凸部８がグリップベルト４に引っ掛かかって上がらない、収納保持状態である。前記ロック状態は摩擦で固定していなくて、グリップベルト４で固定している為、使用回数を多くしても固定力は下がらなく、初期の固定力を維持できる。
【００１７】
さらに、屋外で使用する機会の多いハンディタイプのVTR一体型ビデオカメラ装置において、直射日光下の車内放置等の高温下では従来のレンズキャップホルダーが温度膨張して、キャップストリングとレンズキャップホルダー間の隙間が大きくなってしまい、摩擦抵抗がなくなってレンズキャップが滑べり落ちていたが、本発明では温度膨張は関係ないので固定力の低下はない。
【００１８】
また従来では、実操作時に手が触れるグリップベルトに成形品の凸部を設けている為、手の甲で触れると違和感が発生していた。また、操作者の衣服等にひっかかり、装置本体の落下の危険性を有していたが、本発明のレンズキャップ収納装置は別部品は存在しないし、凸部も有していないので、前記違和感、危険性は存在しない。
【００１９】
このような使用方法が好ましくない時には、強い力で（２N以上）キャップストリング７をグリップベルト４から引き抜き、レンズキャップを別場所に保管して撮像装置を使用することもできる。又、再度元の状態にすることが、容易であるように、キャップストリング７の先端のキャップストリングストッパー９はグリップベルト４の幅より長い金属片を入れ周囲・上下をチューブで包んでいる。このように硬いキャップストリングストッパー９の先端がグリップベルト４より出るまで差込み、出ている部分を引張ると容易にキャップストリング７をグリップベルトとソフトカバー５の間に挿入できる。レンズストリング７の凸部８の代わりに、キャップストリング７その物を結ぶだけでも、同じ機能を有することはいうまでも無い。
【産業上の利用可能性】
【００２０】
本発明のレンズキャップ収納装置によれば、部品を追加しなくても、レンズキャップストリングを引張ることだけで、レンズキャップを収納保持でき、撮影時にレンズキャップが垂れ下がることがないので、撮影装置等に有効である。
【図面の簡単な説明】
【００２１】
【図１】本発明によるレンズキャップ収納装置を備えた撮像装置の斜視図
【図２】本発明を用いた実施例の収納前の図
【図３】本発明を用いた実施例の収納状態図
【符号の説明】
【００２２】
１  撮像装置本体
２  レンズ部
３  ビューファインダー
４  グリップベルト
５  ソフトカバー
６  レンズキャップ
７  キャップストリング
８  キャップストリングの凸部
９  キャップストリングのストッパー
【図１】
2005156585.tif 000003
【図２】
2005156585.tif 000004
【図３】
2005156585.tif 000005